(57)【要約】      （修正有）【課題】屋内の床に固定具を設けることなく、固定する事が可能な幼児用遊具の提供。【解決手段】本体気体室内の外周部１０４に沿って底面１０７に設けられた内部固定板１２と、本体気体室の下方であって内部固定板１２と重なり合うように、かつ本体気体室１１の外周部１０４からはみ出すように設けられた外部固定板１３と、内部固定板１２と外部固定板１３とを固定する固定部材２３ａ，２３ｂとを備える。【選択図】図３
2014236899.tif 000002
【特許請求の範囲】
【請求項１】
内部に気体が封入されることで弾力を保持する本体気体室と、
前記本体気体室内の外周部に沿って底面に設けられた内部固定板と、
前記本体気体室の下方であって前記内部固定板と重なり合うように、かつ前記本体気体室の外周部からはみ出すように設けられた外部固定板と、
前記内部固定板と前記外部固定板とを固定する固定部材と、
を備えたことを特徴とする遊具。
【請求項２】
前記内部固定板と前記外部固定板との間に設けられた弾性力を有する弾性シート
を、更に備えたことを特徴とする請求項１記載の遊具。
【請求項３】
前記本体気体室内の外周部近傍に、弾性力を有する弾性部材が設けられた
ことを特徴とする請求項１又は２記載の遊具。
【請求項４】
前記外部固定板の下面に、
前記外部固定板を形成する材質の摩擦係数より大きい材質で形成されたシートが設けられたことを特徴とする請求項１〜３のうちいずれか１項記載の遊具。
【発明の詳細な説明】
【技術分野】
【０００１】
本発明は、屋内の床に固定具を設けることなく、固定することができる遊具に関する。
【背景技術】
【０００２】
大型のショッピングセンター等では、幼児が様々な遊具を用いて体を動かして遊ぶことができる遊戯スペースが設けられていることが多い。
【０００３】
このような遊戯スペースには、常設のものや、一時的に遊具を設営する仮設のものがあり、仮設の遊技スペースに設営される遊具は、簡易に設営及び撤去できる必要がある。
【０００４】
特許文献１には、本体気室と、本体気室の周辺に設けられた周辺気室とを有し、周辺気室の下面にずれ防止パットが貼着され、遊具を床に固定するためのアンカー用ライフラインが周辺気室に吊着された遊具に関する技術が提案されている。
【０００５】
また、特許文献２には、袋手段と、この袋手段に被せられた外膜と、袋手段の内部空間に加圧空気を供給し、袋手段を円盤状に膨張させる加圧手段と、使用中の遊具のズレ及び遊具から子供が落ちたときの事故を防止するため、遊具の外側に環状に敷き詰められた複数枚の矩形のウレタンマットとを備えた遊具に関する技術が提案されている。
【先行技術文献】
【特許文献】
【０００６】
【特許文献１】特開平１１−１３７８５７号公報
【特許文献２】特開２００５−７４１４０号公報
【発明の概要】
【発明が解決しようとする課題】
【０００７】
しかしながら、特許文献１に記載の遊具では、周辺気室にアンカー用ライフラインが吊着され、アンカーにアンカー用ライフラインが取り付けられることにより、遊具を床に固定するので、床にアンカーを打ち込む必要があり、アンカーを設けることができない床には、固定することは困難であった。
【０００８】
また、特許文献２に記載の遊具は、固定されていないので、子供達が遊んでいるうちに、遊具が移動してしまう場合がある。また、遊具の外側に環状に敷き詰められた複数枚の略矩形のウレタンマットを備えているが、袋手段に固定されていないので、袋手段は、移動してしまう場合がある。
【０００９】
本発明は、上記課題に鑑みてなされたものであり、屋内の床に固定具を設けることなく、固定することができる遊具を提供することを目的とする。
【課題を解決するための手段】
【００１０】
上記目的を達成するため、本発明に係る遊具の第１の特徴は、内部に気体が封入されることで弾力を保持する本体気体室と、前記本体気体室内の外周部に沿って底面に設けられた内部固定板と、前記本体気体室の下方であって前記内部固定板と重なり合うように、かつ前記本体気体室の外周部からはみ出すように設けられた外部固定板と、前記内部固定板と前記外部固定板とを固定する固定部材と、を備えたことにある。
【００１１】
上記目的を達成するため、本発明に係る遊具の第２の特徴は、前記内部固定板と前記外部固定板との間に設けられた弾性力を有する弾性シートを、更に備えたことにある。
【００１２】
上記目的を達成するため、本発明に係る遊具の第３の特徴は、前記本体気体室内の外周部近傍に、弾性力を有する弾性部材が設けられたことにある。
【００１３】
上記目的を達成するため、本発明に係る遊具の第４の特徴は、前記外部固定板の下面に、前記外部固定板を形成する材質の摩擦係数より大きい材質で形成されたシートが設けられたことにある。
【発明の効果】
【００１４】
本発明に係る遊具によれば、屋内の床に固定具を設けることなく、固定することができる。
【図面の簡単な説明】
【００１５】
【図１】本発明の実施例１である遊具の外観を示した斜視図である。
【図２】（ａ）は、本発明の実施例１である遊具の平面図であり、（ｂ）は、本発明の実施例１である遊具の側面図である。
【図３】本発明の実施例１である遊具の外周部付近の断面図である。
【図４】本発明の実施例２である遊具の外周部付近の断面図である。
【図５】本発明の実施例３である遊具の外周部付近の断面図である。
【図６】本発明の実施例４である遊具の外周部付近の断面図である。
【図７】本発明の実施例５である遊具の外周部付近の断面図である。
【発明を実施するための形態】
【００１６】
以下、本発明を実施するための形態について図面を参照して説明する。
【実施例１】
【００１７】
本発明の実施例１では、屋内の床に固定具を設けることなく、固定することができる「ひょうたん島」形状の遊具を例に挙げて説明する。
【００１８】
図１は、本発明の実施例１である遊具の外観を示した斜視図である。
【００１９】
図１に示すように、本発明の実施例１である遊具１は、内部に気体が封入されることで弾力を保持する本体気体室１１と、本体気体室１１の下方であって、本体気体室１１の外周部１０４からはみ出すように設けられた外部固定板１３とを備えている。即ち、外部固定板１３は、本体気体室１１の外周部１０４に沿うように、設けられている。
【００２０】
本体気体室１１は、図示しないチューブが取り付けられており、このチューブには図示しないコンプレッサが接続されている。そして、コンプレッサから供給される圧空により、本体気体室１１内に空気が充填される。
【００２１】
このように、本発明の実施例１である遊具１は、内部に空気が封入されることで弾力を保持している本体気体室１１を備えるので、例えば、子供達は、本体気体室１１上に乗り、本体気体室１１上で飛んだり跳ねたりしたりすることで楽しむことができる。
【００２２】
なお、図１には図示しないが、後述するように、本体気体室１１の外周部からはみ出した外部固定板１３の上には、砂が載置される。
【００２３】
図２（ａ）は、本発明の実施例１である遊具１の平面図であり、図２（ｂ）は、本発明の実施例１である遊具１の側面図である。
【００２４】
図２（ａ），（ｂ）に示すように、本発明の実施例１である遊具１の本体気体室１１は、第１空気室１０１と、第１空気室１０１に近接して設けられた、第１空気室１０１より小さい第２空気室１０２とを備えている。
【００２５】
第１空気室１０１は、ゴム被覆布などの気体を通さない素材を用いて、ドーム形状を有するように形成されている。即ち、第１空気室１０１は、外周部１０４の輪郭が円形となるように形成され、また、円形の中央部、即ち頭頂部１０１ａが高さ方向に最も厚く、外周部１０４に向かうにつれて薄くなる形状を有している。
【００２６】
さらに、ひょうたん形状を有するカバー１０３が、第１空気室１０１と第２空気室１０２とを覆うように取り付けられている。
【００２７】
これにより、互いに大きさが異なる第１空気室１０１と第２空気室１０２とが隣接して設けられ、第１空気室１０１の頭頂部１０１ａと、第２空気室１０２の頭頂部１０２ａとの高さが異なり、カバー１０３が、第１空気室１０１と第２空気室１０２とを覆っているので、遊具１は、ひょうたん島のような形状を有することになる。
【００２８】
このような、ひょうたん島のような形状を有する遊具１上に子供が乗り、本体気体室１１上で飛んだり跳ねたりするので、遊具１上に子供が遊んでいる場合においても、遊具１の位置がずれたりしないように、床面に固定する必要がある。
【００２９】
仮に、屋外に遊具を設置する場合、アンカー等を地面に打ち込み、アンカーに遊具を取り付けることにより、遊具を固定することもできる。しかしながら、遊具を屋内に設置したい場合、アンカーを床面に設ける工事が必要になり、遊具の設置が大がかりになってしまう。また、床面の工事が許可されない場合もあり、このような場合、屋内に遊具を設置することは困難となる。
【００３０】
本発明の実施例１である遊具１は、屋内の床に、アンカー等の固定具を設けることなく、固定することができるものである。
【００３１】
図３は、本発明の実施例１である遊具１の外周部付近の断面図である。
【００３２】
図３に示すように、第１空気室１０１の上部１０６は、頭頂部１０１ａから先端部１０８へ向かってなだらかに下降しており、上部１０６は、先端部１０８で壁面部１１１と接続されている。また、壁面部１１１は、外周部１０４で底部１０７と接続されている。なお、第２空気室１０２は、第１空気室１０１と同一形状を有している。
【００３３】
本体気体室１１の第１空気室１０１内の外周部に沿った底面には、内部固定板１２が設けられている。
【００３４】
内部固定板１２は、木材を加工して成形された板状の部材である。そして、内部固定板１２は、第１空気室１０１の外周部１０４に沿って配置されるような円環形状を有しており、第１空気室１０１の底面に固定されている。
【００３５】
外部固定板１３は、床面Ｇ上であって、本体気体室１１の第１空気室１０１の下方に設けられている。また、外部固定板１３は、内部固定板１２と重なり合うように、かつ第１空気室１０１の外周部１０４からはみ出すように設けられている。
【００３６】
外部固定板１３も、内部固定板１２と同様に、木材を加工して成形された板状の部材であり、第１空気室１０１の外周部１０４に沿って配置されるような形状を有している。
【００３７】
そして、内部固定板１２と外部固定板１３とは、固定部材２３ａ，２３ｂにより固定されている。即ち、第１空気室１０１の底面には、固定部材２３ａ，２３ｂが貫通するための貫通孔１０１ｃ，１０１ｄが設けられており、内部固定板１２には、固定部材２３ａ，２３ｂが貫通するための貫通孔１２ａ，１２ｂが設けられており、内部固定板１２と外部固定板１３とが第１空気室１０１の底面を挟みこむように固定部材２３ａ，２３ｂにより固定されている。
【００３８】
このように、外部固定板１３が内部固定板１２に固定され、第１空気室１０１の外周部からはみ出すように設けられている。そのため、砂Ｓが第１空気室１０１の周囲に、載置されると、この砂Ｓと外部固定板１３との重力Ｆにより、外部固定板１３を下方に押さえつける。
【００３９】
外部固定板１３は、上述したように、本体気体室１１の第１空気室１０１の外周部に沿って設けられているので、外部固定板１３が床面Ｇに押さえつけられることにより、この外部固定板１３に固定されている第１空気室１０１も同様に、床面Ｇに対して移動しないように固定されることになる。
【００４０】
なお、第２空気室１０２についても、第１空気室１０１と同様に、その外周部に沿って外部固定板１３が設けられているので、外部固定板１３が床面Ｇに押さえつけられることにより、この外部固定板１３に固定されている第２空気室１０２も同様に、床面Ｇに対して移動しないように固定される。
【００４１】
このように、本発明の実施例１である遊具１によれば、内部に空気が封入されることで弾力を保持する本体気体室１１と、本体気体室１１内の外周部１０４に沿って底面に設けられた内部固定板１２と、本体気体室１１の下方であって内部固定板１２と重なり合うように、かつ本体気体室１１の外周部１０４からはみ出すように設けられた外部固定板１３と、内部固定板１２と外部固定板１３とを固定する固定部材２３ａ，２３ｂとを備えるので、屋内の床にアンカー等の固定具を設けることなく、上部に子供が乗り、本体気体室１１上で飛んだり跳ねたりした場合においても、床面Ｇに対して移動しないように固定することができる。
【００４２】
なお、本発明の実施例１では、コンプレッサから供給される圧空により、本体気体室１１内に空気が充填される本体気体室１１を備えた遊具１を例に挙げて説明したが、充填される気体は空気に限らず、ヘリウムガスなどの安定な気体であればよい。
【００４３】
さらに、本発明の実施例１では、屋内の床に固定具を設けることなく、固定することができる「ひょうたん島」形状の遊具１を例に挙げて説明したが、形状はこれに限らず、第１空気室１０１又は第２空気室１０２のいずれか１方を備えたドーム形状でもよい。また、外周部の輪郭は、円形に限らず、多角形でもよい。
【実施例２】
【００４４】
本発明の実施例１では、本体気体室１１内の外周部に沿って底面に設けられた内部固定板１２と、本体気体室１１の下方であって内部固定板１２と重なり合うように、かつ本体気体室１１の外周部１０４からはみ出すように設けられた外部固定板１３と、内部固定板１２と外部固定板１３とを固定する固定部材２３ａ，２３ｂとを備えた遊具１を例に挙げて説明した。
【００４５】
本発明の実施例２では、さらに、内部固定板１２と外部固定板１３との間に弾性力を有する弾性シート１５を備えた遊具２を例に挙げて説明する。
【００４６】
図４は、本発明の実施例２である遊具２の外周部付近の断面図である。なお、図４に示す本発明の実施例２である遊具２の構成のうち、本発明の実施例１である遊具１と同一符号が付された構成については、それぞれ同一であるので、説明を省略する。
【００４７】
図４に示すように、本体気体室１１の第１空気室１０１内の外周部１０４近傍の底面には、内部固定板１２が設けられており、床面Ｇ上であって、本体気体室１１の第１空気室１０１の下方に外部固定板１３が設けられている。
【００４８】
そして、内部固定板１２と外部固定板１３との間には、例えば、ウレタンやゴムなどの弾性力を有する素材で成形された弾性シート１５が設けられている。
【００４９】
弾性シート１５は、第１空気室１０１の底面に設けられた、固定部材２３ａ，２３ｂが貫通するための貫通孔１０１ｃ，１０１ｄと同一位置に、貫通孔１５ａ，１５ｂが設けられている。
【００５０】
そして、固定部材２３ａ，２３ｂは、貫通孔１０１ｃ，１０１ｄ及び貫通孔１５ａ，１５ｂを貫通して、内部固定板１２と外部固定板１３とを固定する。
【００５１】
これにより、内部固定板１２と外部固定板１３との間に、弾性力を有する弾性シート１５が設けられるので、より確実に内部固定板１２と外部固定板１３とを固定することができる。
【００５２】
また、図４に示すように、本発明の実施例２である遊具２では、内部固定板１２と外部固定板１３との間のみならず、第１空気室１０１の外周部からはみ出した外部固定板１３上にも弾性シート１５が設けられている。
【００５３】
これにより、砂Ｓの量が減った場合にも、木材で成形された外部固定板１３がむき出しになることはなく、例えば、子供が、弾性シート１５の上に乗った場合、弾性シート１５の弾力性を感じることができる。
【実施例３】
【００５４】
本発明の実施例２では、内部固定板１２と外部固定板１３との間に弾性力を有する弾性シート１５を備えた遊具２を例に挙げて説明した。
【００５５】
本発明の実施例３では、外部固定板１３の下面に、外部固定板１３を形成する材質の摩擦係数より大きい材質で形成されたシートが設けられた遊具３を例に挙げて説明する。
【００５６】
図５は、本発明の実施例３である遊具３の外周部付近の断面図である。なお、図５に示す本発明の実施例３である遊具３の構成のうち、本発明の実施例１である遊具１と同一符号が付された構成については、それぞれ同一であるので、説明を省略する。
【００５７】
図５に示すように、本体気体室１１の第１空気室１０１内の外周部に沿った底面には、内部固定板１２が設けられており、床面Ｇ上であって、本体気体室１１の第１空気室１０１の下方に外部固定板１３が設けられている。
【００５８】
さらに、外部固定板１３の下面には、滑り止めシート１７が設けられている。
【００５９】
滑り止めシート１７は、例えば、ウレタンやゴムなど、外部固定板１３を形成する木材の摩擦係数より大きい材質で形成されている。
【００６０】
このように、本発明の実施例３である遊具３によれば、外部固定板１３の下面に、外部固定板１３を形成する材質の摩擦係数より大きい材質で形成された滑り止めシート１７が設けられているので、床面Ｇに対して移動しないように、より強力に固定することができる。
【実施例４】
【００６１】
本発明の実施例１では、本体気体室１１内の外周部に沿った底面に設けられた内部固定板１２と、本体気体室１１の下方であって内部固定板１２と重なり合うように、かつ本体気体室１１の外周部からはみ出すように設けられた外部固定板１３と、内部固定板１２と外部固定板１３とを固定する固定部材２３ａ，２３ｂとを備えた遊具１を例に挙げて説明した。
【００６２】
本発明の実施例４では、さらに、本体気体室１１の外周部近傍に、弾性力を有する弾性部材が設けられた遊具４を例に挙げて説明する。
【００６３】
図６は、本発明の実施例４である遊具４の外周部付近の断面図である。なお、図６に示す本発明の実施例４である遊具４の構成のうち、本発明の実施例１である遊具１と同一符号が付された構成については、それぞれ同一であるので、説明を省略する。
【００６４】
図６に示すように、内部に空気が封入されることで弾力を保持する第１空気室１０１Ａと、第１空気室１０１Ａと、第１空気室１０１Ａに近接して設けられ、第１空気室１０１Ａと同一形状を有する第２空気室１０２Ａ（図示しない）とを覆うように取り付けられたひょうたん形状を有するカバー１０３Ａとを備えている。
【００６５】
第１空気室１０１Ａは、円形の中央部が高さ方向に厚く、外周部１０９に向かうにつれて薄くなっている。即ち、第１空気室１０１の上部１０５は、頭頂部から外周部１０９へ向かってなだらかに下降しており、外周部１０９で底部１０７と接続されている。
【００６６】
これにより、第１空気室１０１Ａの上部１０５を覆うカバー１０３Ａ上に、砂Ｓが被さるので、第１空気室１０１Ａの上部１０５を覆うカバー１０３Ａと、砂Ｓの表面との間に落差がなく、より自然な島を表現できる。
【００６７】
その一方で、外周部１０９近傍では、第１空気室１０１Ａの高さ方向の厚みが薄くなるので、例えば、外周部１０９近傍に上方から押さえる力Ｆ２が加わると、内圧に負けて外周部１０９付近が変形する可能性がある。
【００６８】
そこで、本発明の実施例４である遊具４では、内圧に負けて外周部１０９付近が変形することを防止するために、弾性力を有する弾性部材１９を備えられている。
【００６９】
弾性部材１９は、本体気体室１１の第１空気室１０１Ａの外周部１０９近傍に設けられており、下降する第１空気室１０１Ａの斜面に沿った円環形状をしている。
【００７０】
そのため、例えば、砂Ｓの量が減り、第１空気室１０１Ａの外周部１０９がむき出しになった場合においても、第１空気室１０１Ａ内部の外周部１０９近傍に弾性部材１９が設けられているので、上方から押さえる力Ｆ２が加わったとしても、内圧に負けて外周部１０９付近が大きく変形することを防止できる。
【００７１】
これにより、第１空気室１０１Ａの外周部１０９近傍に子供が乗った場合においても、その重力で押しつぶされることなく、自然な形状を保持することができる。
【実施例５】
【００７２】
本発明の実施例１では、本体気体室１１内の外周部に沿って底面に設けられた内部固定板１２と、本体気体室１１の下方であって内部固定板１２と重なり合うように、かつ本体気体室１１の外周部１０４からはみ出すように設けられた外部固定板１３と、内部固定板１２と外部固定板１３とを固定する固定部材２３ａ，２３ｂとを備えた遊具１を例に挙げて説明した。
【００７３】
本発明の実施例５では、本体気体室１１の外周部１０４に沿って、本体気体室１１の下方になるように、矩形の平板形状を有する矩形固定板が複数設けられた外部固定板１３Ａを備えた遊具５を例に挙げて説明する。
【００７４】
図７は、本発明の実施例５である遊具５の平面図である。なお、図７に示す本発明の実施例５である遊具５の構成のうち、本発明の実施例１である遊具１と同一符号が付された構成については、それぞれ同一であるので、説明を省略する。
【００７５】
図７に示すように、本発明の実施例５である遊具５は、内部に気体が封入されることで弾力を保持する本体気体室１１と、本体気体室１１の下方であって、本体気体室１１の外周部１０４からはみ出すように設けられた外部固定板１３Ａとを備えている。
【００７６】
外部固定板１３Ａは、矩形の平板形状を有する矩形固定板１３ａ〜１３ｌを有しており、この矩形固定板１３ａ〜１３ｌは、本体気体室１１の外周部１０４に沿うように、設けられている。
【００７７】
そして、矩形固定板１３ａ〜１３ｌそれぞれは、内部固定板１２と同様に、木材を加工して成形されており、内部固定板１２と重なり合うように、かつ本体気体室１１の外周部１０４からはみ出すように互いに隣接して設けられている。
【００７８】
このように、本発明の実施例５である遊具５によれば、矩形の平板形状を有する矩形固定板１３ａ〜１３ｌが複数設けられた外部固定板１３Ａを備えたので、同一形状同一サイズの矩形固定板１３ａ〜１３ｌを用いて外部固定板１３Ａを形成することができる。そのため、加工が容易であり、外部固定板１３Ａの製造コストを低減させることができる。
【符号の説明】
【００７９】
１，２，３，４…遊具
１１…本体気体室
１２…内部固定板
１３…外部固定板
１５…弾性シート
１７…シート
１９…弾性部材
２３ａ，２３ｂ…固定部材
１０１，１０１Ａ…第１空気室
１０２，１０２Ａ…第２空気室
１０３，１０３Ａ…カバー
１０４，１０９…外周部
１０５，１０６…上部
１０７…底部
１０８…先端部
１１１…壁面部
【図１】
2014236899.tif 000003
【図２】
2014236899.tif 000004
【図３】
2014236899.tif 000005
【図４】
2014236899.tif 000006
【図５】
2014236899.tif 000007
【図６】
2014236899.tif 000008
【図７】
2014236899.tif 000009